(57)【要約】  【課題】  万一の絶縁不良があってもユーザーが感電しないようにする。  【解決手段】  引掛ローゼット２に接続されて交流電源が受電される引掛刃３、３を上面に突出し内部に点灯制御回路基板４を内蔵したケース５を備えたアダプタ６である。前記ケース５は、下面に補強金属板１２を設けた絶縁性の上ケース９と、金属製の下ケース１０とを結合して構成され、前記引掛刃３、３は、前記補強金属板１２と非接触を保ちつつ前記補強金属板１２の孔１１に通されて、前記上ケース９の上面に突出し、前記補強金属板１２の外縁と前記下ケース１０の内面とは前記上ケース９から突出された仕切り片７０にて絶縁されている。【選択図】  図１１
2005235610.tif 000002
【特許請求の範囲】
【請求項１】
引掛ローゼットに接続されて交流電源が受電される引掛刃を上面に突出し内部に点灯制御回路基板を内蔵したケースを備えたアダプタであって、前記ケースは、下面に補強金属板を設けた絶縁性の上ケースと、金属製の下ケースとを結合して構成され、前記引掛刃は、前記補強金属板と非接触を保ちつつ前記補強金属板の孔に通されて、前記上ケースの上面に突出し、前記補強金属板の外縁と前記下ケースの内面とは前記上ケースから突出された仕切り片にて絶縁されているアダプタ。
【請求項２】
請求項１において、下ケース上端の突片は仕切り片の外側において上ケースに形成したスリットを通って前記上ケースの上面に突出されてかしめられたアダプタ。
【請求項３】
請求項１において、上ケースの外側面からビスを当該外側面及び下ケースに通して仕切り片に螺合固定することにより、上ケースと下ケースを結合したアダプタ。
【請求項４】
請求項１〜３のいずれかに記載のアダプタが引掛ローゼットに接続され、前記アダプタの出力が前記アダプタに取り付けられる本体側に供給される照明器具。
【発明の詳細な説明】
【技術分野】
【０００１】
本発明は、アダプタ及びこのアダプタを用いる照明器具に関する。
【背景技術】
【０００２】
リモコン受信回路などを実装した点灯制御回路基板をケースに内蔵した照明器具用アダプタは例えば特許文献１で知られ、引掛ローゼットに接続される引掛刃により受電されて作動するリモコン受信回路基板をケースに内蔵している。そして、前記ケースの材質は不明だが、絶縁樹脂製であると考えられる。
【特許文献１】特開２０００−３２２９２８号公報
【発明の開示】
【発明が解決しようとする課題】
【０００３】
しかし、殊に高周波点灯回路のようなパワー回路を実装した点灯制御回路基板をケースに内蔵した場合、万一の焼損があったときにケースに類焼しないようにすることが必要である。そこでケースを金属製にする必要があるが、今度は万一の絶縁不良でユーザーが感電しないようにする対策が必要になる。従って、本発明では、万一の絶縁不良があってもユーザーが感電しないようにすることを目的とする。
【課題を解決するための手段】
【０００４】
本発明を要約すると、引掛ローゼットに接続されて交流電源が受電される引掛刃を上面に突出し内部に点灯制御回路基板を内蔵したケースを備えたアダプタであって、前記ケースは、下面に補強金属板を設けた絶縁性の上ケースと、金属製の下ケースとを結合して構成され、前記引掛刃は、前記補強金属板と非接触を保ちつつ前記補強金属板の孔に通されて、前記上ケースの上面に突出し、前記補強金属板の外縁と前記下ケースの内面とは前記上ケースから突出された仕切り片にて絶縁されているアダプタである。
【発明の効果】
【０００５】
本発明によれば、引掛刃から補強金属板に漏電したとしても補強金属板と下ケースは仕切り片で絶縁されているため、下ケースに触れたユーザーが感電するおそれがなく、安全である。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。本発明の実施形態は、図１〜１４に第一実施形態、図１５〜１８に第二実施形態、図１９に第三実施形態として示される。そして、本発明の実施形態を直接的に示す図１１を中心に参照して説明すれば、引掛ローゼット２に接続されて交流電源が受電される引掛刃３、３を上面に突出し内部に点灯制御回路基板４を内蔵したケース５を備えたアダプタ６であって、前記ケース５は、下面に補強金属板１２を設けた絶縁性の上ケース９と、金属製の下ケース１０とを結合して構成され、前記引掛刃３、３は、前記補強金属板１２と非接触を保ちつつ前記補強金属板１２の孔１１に通されて、前記上ケース９の上面に突出し、前記補強金属板１２の外縁と前記下ケース１０の内面とは前記上ケース９から突出された仕切り片７０にて絶縁されているアダプタ６である。この構成によれば、引掛刃３から補強金属板１２に漏電したとしても補強金属板１２と下ケース１０は仕切り片７０で絶縁されているため、下ケース１０に触れたユーザーが感電するおそれがなく、安全である。なお、下ケース１０の内外には絶縁塗装被膜が施されるであろうが、そのような絶縁塗装被膜は薄くてはがれるおそれもあるため、仕切り片７０による絶縁は有益である。また、下ケース１０上端の突片４０は仕切り片７０の外側において上ケース９に形成したスリット４１を通って前記上ケース９の上面に突出されてかしめられ、下方からかしめ部が見えないようにしている。そして、アダプタ６の出力はアダプタ６に取り付けられる本体２５側に供給され、ランプ２６が点灯制御される。なお、仕切り片７０をもう少し下向きに延ばしておき、上ケース９の外側面からビスを当該外側面(係止段部５８の上側にある溝部)及び下ケース１０に通してそのような仕切り片に螺合固定することにより、上ケース９と下ケース１０を結合してもよい。
【０００７】
次に、本発明に関連する事項について図面を参照して説明すると、天井１に固定された引掛ローゼット２に接続される一対の引掛刃３、３により受電されて作動する高周波点灯回路からなる点灯制御回路基板４をケース５に内蔵したアダプタ６及びアダプタ６を用いた照明器具を示す。アダプタ６では、前記ケース５に内蔵される絶縁座７の略中央部に前記引掛刃３、３がビスなどで固定されてその上部が前記ケース５の上面に露出するとともに、前記絶縁座７に複数の絶縁アーム８、８が一体成形などにより設けられてそれらの下縁が前記点灯制御回路基板４に当接され、前記引掛刃３、３の基部に接続固定した一対の導電リード(金属板でも絶縁被覆リード線でもよい)１３、１３を前記点灯制御回路基板４に接続している。このようにすれば、絶縁座７及び絶縁アーム８、８という新規要素により、引掛刃３、３、絶縁座７及び絶縁アーム８、８、さらに点灯制御回路基板４というアダプタ６に内蔵する要素がまとめられてユニット化できるため、生産時の取り扱いが容易となる。なお、絶縁アーム８、８の下面に突起８ａ(図８参照)を形成して、これらを点灯制御回路基板４の孔４ａ(図２、３参照)に挿入すると、絶縁アーム８、８と点灯制御回路基板４との位置決めが確実になる。また、導電リード１３の下端も点灯制御回路基板４の孔４ｂ(図５、６参照)に差し込まれる。次に、点灯制御回路基板４の下面を半田面としており、そうすると、点灯制御回路基板４に引掛刃３、３付きの絶縁座７及び絶縁アーム８、８を載せて導電リード１３を点灯制御回路基板４の孔４ｂに通した状態で、図外の自動半田漕に流すことにより点灯制御回路基板４の下面が容易に半田付けされる。なお、点灯制御回路基板４の出力コネクタ２０からのリード線２０ａ(図１、２、４参照)もあらかじめ、点灯制御回路基板４に通しておいてから、自動半田漕に流すと好ましい。そして、点灯制御回路基板４を支持する枠状の絶縁台１４を備え、ビス５１、５１を絶縁アーム８、８の下部と点灯制御回路基板４を通して前記絶縁台１４のボス５２、５２に螺合固定する。これにより、引掛刃３、３、絶縁座７及び絶縁アーム８、８、半田付けが完了した点灯制御回路基板４に、さらに絶縁台１４が固定されたユニットとして取り扱え、やはり生産時の取り扱いが容易となる。
【０００８】
ケース５は、絶縁樹脂製の上ケース９と、金属製の下ケース１０とを備え、引掛刃３、３が貫通する前記上ケース９と絶縁座７との間に前記引掛刃３、３が非接触で貫通する孔１１、１１を形成した補強金属板１２を設けている。これにより、補強金属板１２で絶縁樹脂製の上ケース９を補強できる。また、一対の引掛刃３、３の基部に接続固定した一対の導電リード１３、１３を絶縁座７の下面及び絶縁アーム８、８の両側に沿わせて点灯制御回路基板４の周部付近に接続している。これにより、一対の導電リード１３、１３の位置規制が容易になる。なお、一対の導電リード１３、１３は同一のものを用いて合理化している。また、点灯制御回路基板４を支持する絶縁台１４を備え、この絶縁台１４の一端部に導電リード１３、１３の外側部を保護する絶縁壁１５を形成している。これにより、導電リード１３、１３の外力からの保護が可能になる。また、導電リード１３、１３の点灯制御回路基板４への接続部付近は複数に分岐され、分岐部には直線分岐部１６と曲線分岐部１７が存在する。これにより、各導電リード１３と点灯制御回路基板４との接続部を二重化して接続状態を万全にするとともに、曲線分岐部１７により外力に対する点灯制御回路基板４との接続状態を安定化している。
【０００９】
絶縁座７には、ケース５の上面に露出され引掛ローゼット２下面の円弧孔(図示せず)に係止されるように上方に付勢された可動のロックピン１８を備え、このロックピン１８を押し下げる方向に作用する解除操作部１９は絶縁アーム８に通されて保持されている。これにより、絶縁アーム８を解除操作部１９の保持に利用できる。また、点灯制御回路基板４の出力コネクタ２０も絶縁アーム８に通されて保持され、同様に絶縁アーム８を出力コネクタ２０の保持に利用できる。本アダプタ６では、引掛刃３、３からは一方の絶縁アーム８の基部付近において高周波点灯回路部品を実装した点灯制御回路基板４の入力側に電気接続(導電リード１３、１３による接続)され、反対側の絶縁アーム８に保持された出力コネクタ２０に前記点灯制御回路基板４の出力側が電気接続されるため、入力側と出力側が離れることにより出力側(高周波点灯出力側)から入力側(交流電源側)に帰還する高周波輻射ノイズを軽減できる。
【００１０】
次に、図１９に示した第三実施形態のアダプタの内部ユニットにおいては、一対の引掛刃３、３の基部に接続固定した一対の導電リード１３、１３を絶縁座７の下面と一つの絶縁アーム８に沿わせて高周波点灯回路部品を実装した点灯制御回路基板４の周部付近に接続し、この点灯制御回路基板４においてその上面を横切る絶縁座７及び絶縁アーム８、８を中心線としてその直交方向の端部付近に高周波コイル２１、２２を配置している。なお、本高周波点灯回路は、チョッパー回路による直流電源部とインバータ回路による高周波発振部を備え、高周波コイル２１はチョッパー回路の高周波チョークコイル、高周波コイル２２はインバータ回路の高周波チョークコイルである。これにより、高周波コイル２１、２２が導電リード１３、１３から離間されて高周波コイル２１、２２からの高周波輻射ノイズが導電リード１３、１３(交流電源側)に帰還されにくくなる。また、図１９の第三実施形態のアダプタ内部ユニットにおいては、点灯制御回路基板４においてその上面を横切る絶縁座７及び絶縁アーム８、８の投影箇所以外に調整用の可変抵抗器２３、２４を配置している。これにより、前述のように、引掛刃３、３、絶縁座７及び絶縁アーム８、８、さらに点灯制御回路基板４という、アダプタ６に内蔵する要素がまとめられてユニット化された状態で、可変抵抗器２３、２４の調整を絶縁座７及び絶縁アーム８、８に妨げられることなく行える。また、引掛刃３、３、絶縁座７及び絶縁アーム８、８、点灯制御回路基板４のユニットに、前記絶縁台１４を前述のように組み付けてから、可変抵抗器２３、２４を調整してももちろんよい。なお、可変抵抗器２３はチョッパー回路の出力直流電圧調整用、可変抵抗器２４はインバータ回路の発振周波数調整用である。
【００１１】
次に、アダプタ６にオプション装置(人体センサ装置やリモコン受信装置)３２を設けてもよく、そのようなアダプタ６は図１４のように、また、オプション装置３２のないアダプタ６は図１５〜１７のように、それぞれ引掛ローゼット２に接続される。そして、アダプタ６の出力がアダプタ６に取り付けられる本体２５の下面に設けたランプ２６に供給されて照明器具が構成される。また、点灯制御回路基板４の裏面に半田付けされたスイッチング電源ICなどの発熱部品２７は導熱性かつ電気絶縁性のクッション部材２８を介して金属製の下ケース１０に放熱され、クッション部材２８は絶縁台１４の一部に形成した窓枠２９内に位置決めされている。なお、クッション部材２８の下面が当接する部分の下ケース１０は上寄りに突出３０させている。また、下ケース１０の外周面に縦方向スリット状の放熱孔３１を多数形成して、高周波点灯回路を構成するパワー半導体素子など発熱素子の放熱を図るとともに、アダプタ６を回転操作する時の指との摩擦を増大して回転しやすくしている。
【００１２】
次に、図１４のアダプタ６は、引掛ローゼット２に接続される一対の引掛刃３、３により受電されて作動する点灯制御回路基板４を絶縁台１４を介して金属製のケース１０に内蔵支持したアダプタ６であって、前記ケース１０の下面に固定されるオプション装置(人体センサ装置やリモコン受信装置)３２を取り付けるビス３３の先端は前記絶縁台１４に一体に形成した有底筒体３４に挿入されるものである。これにより、ビス３３の螺合により削られる下ケース１０の金属粉が点灯制御回路基板４に付着することを防止して絶縁性・安全性を確保している。
【００１３】
次に、図１５〜１７により理解しやすいように、引掛ローゼット２に接続される一対の引掛刃３、３により受電されて作動する点灯制御回路基板４をケース５に内蔵したアダプタ６と、前記アダプタ６が孔３５に通されて係止されこのアダプタ６の出力でランプソケット３６を介してランプ２６を点灯する本体２５を備えた照明器具であって、前記アダプタ６には、前記ケース５の上面に露出され前記引掛ローゼット２下面の円弧孔(図示せず)に係止されるように上方に付勢された可動のロックピン１８を設けるとともに、このロックピン１８を押し下げる方向に作用する解除操作部１９を前記ケース５の側面に露出しており、前記点灯制御回路基板４の出力コネクタ２０を前記解除操作部１９の下部に位置するように前記ケース５の側面に露出し、前記出力コネクタ２０に前記ソケット３６に給電するためのコネクタ３７を接続した照明器具である。この構成によれば、出力コネクタ２０に接続されるコネクタ３７を外さないと、実質的に解除操作部１９を押し込み操作できないため、通常使用時にアダプタ６が引掛ローゼット２から不用意に外れるおそれがない。また、アダプタ６における樹脂製の上ケース５の側面に解除操作部１９と協働して出力コネクタ２０を囲む枠３８を形成してコネクタ３７のガイドとしている。また、枠３８の反対側にこの枠３８の肉厚と実質同等の肉厚のリブ３９を形成して、アダプタ６が本体２５の孔３５に斜めに通されることをできるだけ防止して、直線性よく通されるようにして、アダプタ６に対する本体２５の着脱をスムーズにしている。
【００１４】
次に、再び図１１を中心に説明すれば、アダプタ６は、引掛ローゼット２に接続される一対の引掛刃３、３を上面に設け内部に点灯制御回路基板４を内蔵したケース５を備えたアダプタ６であって、前記ケース５は、樹脂製の上ケース９と金属製の下ケース１０を備え、この下ケース１０の上端に突出した突片４０が前記上ケース９に形成したスリット４１に挿入されてかしめられることにより前記上ケース９と下ケース１０が結合されている。これにより、上ケース９と下ケース１０のかしめ結合箇所が下方より視認されなくなり、外観が良くなる。また、上ケース９は中心部が高くなる山形を成し、その斜面部にスリット４１から内向きに広がる凹部４２が形成され、突片４０は内向きにかしめられて、突片４０を見えにくくしている。なお、図１〜４では突片４０を内向きに曲げた状態で描いたが、かしめられる工程前においては、突片４０は下ケース１０の上端方向に延びている。
【００１５】
次に、図１４〜１８を参照すれば、引掛ローゼット２に接続される一対の引掛刃３、３により受電されて作動する点灯制御回路基板４をケース５に内蔵したアダプタ６と、前記アダプタ６が通される孔３５が形成された樹脂製の本体２５を備え、この本体２５の下面に中心方向に弾性付勢された被係止部４３とこの被係止部４３を外向きに変位操作することにより前記被係止部４３とアダプタ６の係止状態を解除できる係止解除部４４と、前記点灯制御回路基板４の出力により点灯されるランプ２６が設けられ、前記本体２５の上面において前記被係止部４３の上方にリブ４５を縦方向に形成した照明器具が示される。これにより、樹脂製の本体２５において被係止部４３のある付近を補強できて、アダプタ６との係止関係を安定化できる。また、リブ４５の上端に天井１に当接するスポンジ樹脂などのクッション材４６を貼り付けており、ランプ２６の熱でクッション材４６が劣化するのを緩和している。
【００１６】
図１〜１３を参照してさらに詳述すれば、ビス４７を上ケース９の上面から上ケース９と補強金属板１２を通して絶縁座７に螺合固定している。そして、ロックピン１８の上端は補強金属板１２と上ケース９を通って上ケース９の上面に突出している。引掛刃３、３の基部は絶縁座７の裏面において内向きに点対称に折り曲げられてビスなどで固定されており、各基部に導電リード１３、１３の基端が結合され、その下端は点灯制御回路基板４に通されてその裏面で半田付けされている。ロックピン１８はバネ４８で上方に付勢されており、バネ４８は絶縁座７の内底部に収められている。絶縁アーム８の外側から解除操作部１９を押圧操作すると、その先端の傾斜部４９がロックピン１８の基部両側の傾斜部５０を直交変換により押し下げて、ロックピン１８の先端を上ケース９の上面と面一程度まで下げることができ、ロックピン１８と引掛ローゼット２の円弧孔との係止を解除できる。コネクタ２０は絶縁アーム８の下部付近に保持され、点灯制御回路基板４の出力がリード線２０ａを介してコネクタ２０に配線されている。ビス５１、５１は絶縁アーム８、８の下部と点灯制御回路基板４を通して絶縁台１４に形成したボス５２、５２に螺合される。そして、絶縁座７を補強金属板１２を挟んで上ケース９にビス４７…で固定し、さらに、下ケース１０の突片４０を上ケース９のスリット４１に差し込んでから折り曲げることによりアダプタ６が完成する。また、図１４のオプション装置(人体センサ装置やリモコン受信装置)３２は、その上端の係止片５３を下ケース１０の孔１０ａの縁に係止し、ビス３３を下ケース１０に螺合してアダプタ６の下面に固定される。なお、オプション装置３２からは図示されないコネクタ付きのリード線が下ケース１０の孔１０ｂに通されて、点灯制御回路基板４の図示されないコネクタに接続される。
【００１７】
さらに、図１４〜１８を参照して説明すると、アダプタ６は、その引掛刃３、３を引掛ローゼット２下面の円弧孔(図示せず)に差し込んで回転することで交流電源が受電され、ロックピン１８は前記円弧孔に挿入係止されてアダプタ６の戻り止めが成される。なお、アダプタ６を引掛ローゼット２から外すには係止解除部１９を押し込んでロックピン１８を押し下げるとアダプタ６の逆回転が可能になって取り外しできる。そして、引掛ローゼット２に取り付けられたアダプタ６に対して本体２５を押し上げ、孔３５にアダプタ６を通すと、バネ５４で内向きに付勢されている被係止部４３は後退した後、内向きに突出してアダプタ６の上面に係止される。なお、被係止部４３は係止解除部４４を外向きに変位するとアダプタ６から取り外せる。次に、ソケット３６からのリード線５５先端のコネクタ３７をコネクタ２０に差し込む。さらに、環状の蛍光ランプ２６をソケット３６に接続する。さらにグローブ５６を本体２５に適宜手段により取り付ける。この取付状態でクッション部材４６は天井１に突っ張り、本体２５の回転が実質的に不可能になる。また、ランプ２６は本体２５に固定された支持具５７によっても支持されている。なお、角型の引掛ローゼット２の代わりに丸型の引掛ローゼットが設置されていると、その高さは相対的に低いため、アダプタ６は図１５の位置より高い位置になり、被係止部４３はアダプタ６の上面より溝を挟んで一段低くなった係止段部５８に係止される。なお、被係止部４３・係止解除部４４とバネ５４は本体２５の下面に固定したケース６３内でスライド可能に保持されている。また、本照明器具の取り外し手順は上記の逆手順で行える。
【図面の簡単な説明】
【００１８】
【図１】本発明の第一実施形態を示すアダプタの分解時上面斜視図
【図２】同下面斜視図
【図３】同反対側の分解時上面斜視図
【図４】同下面斜視図
【図５】同内部ユニットの上面図
【図６】同斜視図
【図７】同絶縁座及び絶縁アームの上面斜視図
【図８】同下面斜視図
【図９】同アダプタの組立時断面図(解除操作部１９を通る)
【図１０】同断面図(導熱クッション部材２８を通る)
【図１１】(A) 図９とは直交する断面図、(B) 同○部の拡大断面図
【図１２】(A) アダプタの外観上面斜視図、(B) 同下面斜視図
【図１３】(A) 図１２の反対側の外観上面斜視図、(B) 同下面斜視図
【図１４】同アダプタを用いた照明器具の断面図
【図１５】本発明の第二実施形態を示す照明器具の断面図(被係止部４３を通る)
【図１６】同断面図(出力コネクタ２０を通る)
【図１７】同グローブを外した時の本体下面図
【図１８】同本体のみの上面図
【図１９】本発明の第三実施形態を示すアダプタの内部ユニットの上面図
【符号の説明】
【００１９】
１  天井
２  引掛ローゼット
３  引掛刃
４  点灯制御回路基板
５  ケース
６  アダプタ
７  絶縁座
８  絶縁アーム
９  上ケース
１０  下ケース
１１  孔
１２  補強金属板
１３  導電リード
１４  絶縁台
１５  絶縁壁
１６  直線分岐部
１７  曲線分岐部
１８  ロックピン
１９  解除操作部
２０  出力コネクタ
２１、２２  高周波コイル
２３、２４  可変抵抗器
２５  本体
２６  ランプ
２７  発熱部品
２８  クッション部材
２９  窓枠
３０  上方向への突出部
３１  放熱孔
３２  オプション装置(人体センサ装置やリモコン受信装置)
３３  ビス
３４  有底筒体
３５  孔
３６  ソケット
３７  コネクタ
３８  枠
３９  リブ
４０  突片
４１  スリット
４２  凹部
４３  被係止部
４４  係止解除部
４５  リブ
４６  クッション材
４７  ビス
４８  バネ
５１  ビス
５２  ボス
５３  係止片
７０  仕切り片
【図１】
2005235610.tif 000003
【図２】
2005235610.tif 000004
【図３】
2005235610.tif 000005
【図４】
2005235610.tif 000006
【図５】
2005235610.tif 000007
【図６】
2005235610.tif 000008
【図７】
2005235610.tif 000009
【図８】
2005235610.tif 000010
【図９】
2005235610.tif 000011
【図１０】
2005235610.tif 000012
【図１１】
2005235610.tif 000013
【図１２】
2005235610.tif 000014
【図１３】
2005235610.tif 000015
【図１４】
2005235610.tif 000016
【図１５】
2005235610.tif 000017
【図１６】
2005235610.tif 000018
【図１７】
2005235610.tif 000019
【図１８】
2005235610.tif 000020
【図１９】
2005235610.tif 000021